(57)【要約】【課題】ガイドロッドを外すことなく記録ヘッドの組付けを可能にすること。【解決手段】記録ヘッド構成体１の一部に、プリンタ本体上のメインガイド２１を抱持する摺動自在な被ガイド片６と、サブガイド２４上を摺動する摺接突起８を設ける一方、記録ヘッド構成体１に嵌合する結合枠１０の一部に、被ガイド片６と協同してメインガイド２１を挟持する抱持片１２を設け、メインガイド２１を取り外すことなく記録ヘッドをプリンタ本体に走行可能に取付け得るようにしたもの。【選択図】図１
2009255591.tif 000002
【特許請求の範囲】
【請求項１】
主走査方向に走行する記録ヘッド構成体の一部に、プリンタ本体に形成した主走査方向
に延びる第１の案内部材を抱持して摺動する第１の被案内部と、第２の案内部材上を摺動
する第２の被案内部を設ける一方、前記記録ヘッド構成体と嵌合する部材の一部に、前記
第１の被案内部と協同して前記第１の案内部材を挟持して摺動する部分を設けたことを特
徴とするシリアルプリンタ用の記録ヘッド。
【発明の詳細な説明】
【技術分野】
【０００１】
本発明はシリアルプリンタ用の記録ヘッドに関する。
【背景技術】
【０００２】
シリアルプリンタに用いるキャリッジは一般に、特開平１１−１９２７１９号公報に見
られるように、一方をプラテンの桁方向に配設されたメインのガイドロットに、他方を、
フレームの一部を折り曲げて形成したサブのガイド部材に案内されて主走査方向に往復動
するように取付けられている。
【０００３】
このため、この種のキャリッジを取り替える必要が生じた場合には、予めブリンタ本体
から取り外したメインのガイドロッドからキャリッジを取外し、そこに新たなキャリッジ
を挿通した上、再びこのガイドロッドをブリンタ本体に組付けなければならないといった
手間を要する不都合を有するばかりでなく、記録ヘッドとの間にガタを有しているような
場合には、正常な記録書き込みも期待し得なくなるといった不都合も生じる。
【発明の概要】
【発明が解決しようとする課題】
【０００４】
本発明はこのような問題に鑑みてなされたもので、その目的とするところは、ガイドロ
ッドの着脱を必要とすることなく組付けることができ、しかも精度のよい記録書き込みを
可能とする新たなシリアルプリンタ用の記録ヘッドを提供することにある。
【課題を解決するための手段】
【０００５】
すなわち本発明はかかる課題を達成するためのシリアルプリンタ用の記録ヘッドとして
、主走査方向に走行する記録ヘッド構成体の一部に、プリンタ本体に形成した主走査方向
に延びる第１の案内部材を抱持して摺動する第１の被案内部と、第２の案内部材上を摺動
する第２の被案内部を設ける一方、記録ヘッド構成体と嵌合する部材の一部に、第１の被
案内部と協同して第１の案内部材を挟持して摺動する部分を設けるようにしたものである
。
【図面の簡単な説明】
【０００６】
【図１】本発明の一実施例を示す記録ヘッド構成体の分解斜視図である。
【図２】組付けた状態での同上記録ヘッド構成体を示した側面図である。
【発明を実施するための形態】
【０００７】
そこで以下に本発明の実施例について説明する。
図面は、インクジェットプリンタ用の記録ヘッドとして構成した本発明の一実施例を示
したものである。
【０００８】
図において符号１で示した記録ヘッド構成体には、その下面に、インクジェット式の記
録へッド２を装着するための装着部３が設けられ、また、この直上部には、黒インク及び
イエロー、マゼンタ、シアンからなるカラーのインクを収容してなる図示しないインクカ
ートリッジを搭載する搭載部４が設けられ、さらに、これらの後部は、記録ヘッド構成体
１と結合する後述する結合枠１０によって囲まれるように構成されている。
【０００９】
この記録ヘッド構成体１の前端部両側には、記録書き込み部の直上部に立上げ形成した
主査方向に延びる第１の案内部材つまりメインのガイド２１を前後から挟持する下向きコ
字状の第１の被案内部、つまり被ガイド片６が設けられており、また、この前端面中央に
は図示ないタイミングヘッドと結合する結合部が設けられている。
【００１０】
この記録ヘッド構成体１には、またその後端部に前述した結合枠１０と嵌合する嵌合片
７が水平に延出されていて、その先端部下面には、プリンタ本体１０の後方に張設した主
走査方向の第２の案内部材、つまりサブガイド２４の面と摺接して記録ヘッド構成体１を
水平に保持する摺接突起８、つまり第２の被案内部が突設されている。
【００１１】
これに対して、図中符号１０は記録ヘッド構成体１の後方に結合する結合枠で、この結
合枠１０の両側には、記録ヘッド構成体１の両側を抱えるようにして一体的に接合し合う
一対の腕片１１、１１が水平に突出し、さらにこの腕片１１の先端には、結合した状態で
メインガイド２１下半の断面コ字形凹部２２内に挿入して、被ガイド片６との間でメイン
ガイド２１を上下から抱持する上向きの抱持片１２が設けられている。
【００１２】
なお図中符号５ｂ、５ｃ…は、記録ヘッド２に通じるインク通孔を示しており、また１
３は、記録ヘッド構成体１の両側に設けた係合突起９と係合する係合孔を示している。
【００１３】
このように構成された実施例において、いまこのプリンタ本体に記録ヘッドを組付ける
には、はじめに、立上げ形成したメインのガイド２１に被ガイド片６を跨がらせるように
して記録書き込み部の上方に記録ヘッド構成体１を載置し、ついでこの状態のもとで、底
面を嵌合片７に沿わせるように、かつ両側の腕片１１を記録ヘッド構成体１の両側に沿わ
せるようにして結合枠１０を記録ヘッドに構成体１の後方から水平に押込んでゆく。
【００１４】
これにより、押込みの後端において腕片１１の先端は、メインガイド２１下半のコ字状
凹部２２の中に入り込み、被ガイド片６、６との間でメインガイド２１を上下から抱持し
て、記録ヘッド構成体１とメインガイド２１とを結合一体とするから、記録ヘッド構成体
１は、前端をメインガイド２１に、後端をサブガイド２４に案内されて主走査方向への走
行が可能となる。
【００１５】
したがって、最後に記録ヘッド構成体１と結合したタイミングベルトを図示しない駆動
モータにより牽引すれば、記録ヘッド構成体１はこれらガイド２１、２４に案内されつつ
主査方向へと正確な走行を始めることになる。
【００１６】
なお、何らかの理由によって記録ヘッド構成体１をプリンタ本体から外す必要が生じた
場合には、結合孔１３と結合突起９を外した上で結合枠１０を後方にスライドさせること
により記録ヘッド構成体１をメインのガイド２１から外すことができる。
【００１７】
なお以上は、インクジェット式の記録ヘッドの例によって本発明を説明したものである
が、感熱形式を採る記録ヘッド１もしくはワイヤインパクト式の記録ヘッドにも本発明を
適用することができることは云うまでもない。
【００１８】
以上述べたように本発明によれば、主査方向に走行する記録ヘッド構成体の一部に、プ
リンタ部材上の第１の案内部材を抱持しつつ摺動する第１の被案内部と、第２の案内部材
上を摺動する第２の被案内部を設ける一方、記録ヘッド構成体と嵌合する部材の一部に第
１の被案内部と協同して第１の案内部材を挟持する部分を設けたので、ガイドロッド等を
プリンタ本体から取外す手間を要することなく、しかもキャリッジ等を必要とすることな
く、記録ヘッド自体をガイドロッドを構成する第１、第２の案内部材上に組付けることを
可能として、この種の記録ヘッドの組付けを大巾に簡素化することができると同時に、そ
の走査精度を著しく向上させ、さらには構成部品を大巾に削減することができる。
【符号の説明】
【００１９】
１…記録ヘッド構成体、６…被ガイド片、８…摺接突起、１０…結合枠、１１…腕片、
１２…抱持片、２１…メインガイド、２４…サブガイド。
【図１】
2009255591.tif 000003
【図２】
2009255591.tif 000004
【手続補正書】
【提出日】平成21年8月18日(2009.8.18)
【手続補正１】
【補正対象書類名】特許請求の範囲
【補正対象項目名】全文
【補正方法】変更
【補正の内容】
【特許請求の範囲】
【請求項１】
記録ヘッドを装着する装着部とインクカートリッジを搭載する搭載部とを備えて主走査方向に走行する記録ヘッド構成体と、
前記記録ヘッド構成体に着脱可能に係合する結合枠と、を備えたシリアルプリンタであって、
前記記録ヘッド構成体は、上半が立上げ形成され、下半が断面コ字形に形成され、プリンタ本体の主走査方向に延びる第１の案内部材、及び前記第１の案内部材から前記プリンタ本体の主走査方向と直行する方向に離間して設けられる第２の案内部材上を摺動し、
前記第１の案内部材の上半を挟持しながら摺動する下向きコ字状の第１の被案内部と、
記録ヘッド構成体における前記第１の案内部材よりも前記第２の案内部材に近い側の端部に設けられ、前記結合枠と嵌合する嵌合片と、
前記嵌合片の下面に設けられ、前記第２の案内部材と摺接して前記記録ヘッド構成体を水平に保持する第２の被案内部とを備え、
前記結合枠は、前記第１の被案内部の下面を摺動することにより前記第１の案内部材を下から抱持して摺動する腕片を備え、
前記腕片の先端には、抱持片が設けられ、
前記抱持片は、前記結合枠と前記記録ヘッド構成体が結合した状態において、前記第１の案内部材の下半の断面コ字形の凹部内に挿入され、前記第１の案内部材との間で前記第１の案内部材を上下から抱持することを特徴とするシリアルプリンタ。